(57)【特許請求の範囲】
【請求項１】
ガス噴出孔を有するディフューザと、電気信号によって点火するイニシエータ保持するアダプターと、該アダプターを取り付けて前記ディフューザに結合されるベースとで構成されるハウジングの内部に、少なくとも、前記イニシエータによって発火される着火薬と、該着火薬と前記イニシエータを収納するチューブと、ガス発生剤と、フィルタと、前記チューブ、前記ガス発生剤及び前記フィルタの上部を覆う中蓋を設け、
前記フィルタの前記中蓋と反対側に、前記ベースと前記フィルタの前記ベース側の端面とに当接するように配置された、前記アダプターと離間したリング状のダンパーパッドを有し、
前記フィルタの前記ベース側の端面部を、前記フィルタの径方向の厚み以下の長さだけ内周側に突出させて前記ダンパーパッドの内径よりも若干外周側にあるようにするのと共に、当該フィルタの前記内周側に突出させたベース側端面部及び前記ダンパーパッドの内周部の、前記イニシエータと離間した部分にもガス発生剤を充填して、前記フィルタの前記ベース側の端面部が前記ダンパーパッドと当接した状態で前記ハウジングに圧入したことを特徴とするエアバッグ用インフレータ。
【発明の詳細な説明】
【技術分野】
【０００１】
本発明は、安全装置として自動車に設置されるエアバッグに供給するガスを発生するインフレータに関するものである。
【背景技術】
【０００２】
エアバッグ装置は、インフレータで発生したガスによりエアバッグを展開させることで、衝突の際の衝撃から乗員を保護するものである。
【０００３】
図３はシングルステージタイプのインフレータの構造の一例を説明する断面図である。このインフレータ１は、ディフューザ２ａとアダプター２ｂとベース２ｃによって構成されたハウジング２に、例えば以下の構成要素が内装されている。
【０００４】
３は電気信号によって点火するイニシエータ、４はこのイニシエータ３とガス発生剤７を区画するチューブであり、共にアダプター２ｂに取付けられ、中蓋６で上部を覆われている。また、前記チューブ４の内側には、着火薬５が収納されている。
【０００５】
前記ハウジング２の側壁部内周側にはフィルタ８が配置され、前記ディフューザ２ａの側壁に設けられたガス噴出孔２ａａにはアルミフォイル９が貼られている。１０はフィルタ８のベース側端面８ａとベース２ｃとに接触するように、それらの間に配置されたダンパーパッドである。
【０００６】
前記構成のインフレータ１における、ガス発生の流れを以下に説明する。
車両からの点火信号により前記イニシエータ３に点火し、前記チューブ４内の着火薬５を発火させる。
【０００７】
着火薬５の発火により、チューブ４の側壁に設けた開口４ａを経て火炎をガス発生剤７に放出し、ガス発生剤７に着火して燃焼させ、瞬時に大量のガスを発生させる。
【０００８】
発生したガスは、ハウジング２の側壁部内周側に沿って配置されたフィルタ８を通って粉塵等を除去された後、ディフューザ２ａの側壁に設けられたガス噴出孔２ａａに貼られたアルミフォイル９を突き破って噴出し、エアバッグを展開させる。
【０００９】
図３に示されるインフレータは、これまでよりも作動時の残渣の排出量を抑えることを目的として提案されている。このインフレータは、フィルタ８のベース側端面側に配置したダンパーパッド１０をイニシエータ３の外周に接触するよう延長させている。このような構成により、フィルタ８のベース側端面側とベース２ｃとの接触部から残渣が漏れないようにしている。
【００１０】
しかしながら、フィルタのベース側端面側に配置したダンパーパッドをイニシエータの外周に接触するまで延長させる構成では、前記延長したダンパーパッドによってガス発生剤の収容空間が狭くなり、収容するガス発生剤量が少なくなる。この場合、同量のガス発生剤を収容するためにはハウジングの容積を大きくする必要がある。
【先行技術文献】
【特許文献】
【００１１】
【特許文献１】特開２００９−２４１６３４号公報
【発明の概要】
【発明が解決しようとする課題】
【００１２】
本発明が解決しようとする問題点は、フィルタのベース側端面側に配置したダンパーパッドをイニシエータの外周に接触するまで延長させて作動時の残渣の排出量を抑える構成では、ガス発生剤の収容空間が狭くなるという点である。
【課題を解決するための手段】
【００１３】
本発明は、前記課題を解決するためになされたものである。すなわち、本発明では、ダンパーパッドと当接するフィルタのベース側端面部を、フィルタの厚み以下の長さだけ内周側に突出させることで、前記課題を解決するものである。
【００１４】
すなわち、本発明のエアバッグ用インフレータは、
ガス噴出孔を有するディフューザと、電気信号によって点火するイニシエータ保持するアダプターと、該アダプターを取り付けて前記ディフューザに結合されるベースとで構成されるハウジングの内部に、少なくとも、前記イニシエータによって発火される着火薬と、該着火薬と前記イニシエータを収納するチューブと、ガス発生剤と、フィルタと、前記チューブ、前記ガス発生剤及び前記フィルタの上部を覆う中蓋を設け、
前記フィルタの前記中蓋と反対側に、前記ベースと前記フィルタの前記ベース側の端面とに当接するように配置された、前記アダプターと離間したリング状のダンパーパッドを有し、
前記フィルタの前記ベース側の端面部を、前記フィルタの径方向の厚み以下の長さだけ内周側に突出させて前記ダンパーパッドの内径よりも若干外周側にあるようにするのと共に、当該フィルタの前記内周側に突出させたベース側端面部及び前記ダンパーパッドの内周部の、前記イニシエータと離間した部分にもガス発生剤を充填して、前記フィルタの前記ベース側の端面部が前記ダンパーパッドと当接した状態で前記ハウジングに圧入したことを最も主要な特徴としている。
【００１５】
本発明では、ダンパーパッドと当接するフィルタのベース側端面部を、フィルタの径方向の厚み以下の長さだけ内周側に突出させ、フィルタとダンパーパッドとの接触面の長さを長くしている。
【００１６】
すなわち、本発明では、フィルタとダンパーパッドとの接触面の長さを長くすることと、これら両者のハウジングへの圧入により、残渣が漏れる隙間が小さくなって総合的に残渣の排出が抑制される。着火薬として、ガス発生剤と同じ薬剤を用いると、ガス発生剤の残渣の排出が多くなる。本発明では、残渣の量が増えてもその排出を抑制することができる。
【００１７】
本発明においては、内周側に突出させたフィルタのベース側端面部の内径は、ダンパーパッドの内径と概ね同じであることが、残渣の排出抑制の点からは望ましい。但し、より好ましくは、ダンパーパッドの内径が、フィルタのベース側端面部の内径よりも若干内周側にあるようにすると良い。
【００１８】
また、本発明においては、フィルタ端部の内周側に突出させたベース側端面部及びダンパーパッドの内周部がイニシエータと離間しているので、当該離間した部分にもガス発生剤を充填できることになって、ガス発生剤の内容量が少なくなることを抑制できる。
【発明の効果】
【００１９】
本発明では、ダンパーパッドと当接するフィルタのベース側端面部を、フィルタの径方向の厚み以下の長さだけ内周側に突出させてダンパーパッドとの接触長さを長くし、残渣が漏れる隙間を小さくしている。従って、ガス発生剤の内容量にはほとんど影響を与えることなく、インフレータ作動時の残渣の排出を、従来よりも大幅に抑制することができる。また、着火薬にガス発生剤を用いても、残渣の排出を抑えることができる。
【図面の簡単な説明】
【００２０】
【図１】本発明のインフレータの構造の一例を説明する断面図である。
【図２】本発明のインフレータと図３に示す従来のインフレータの残渣の漏れ量を比較した図である。
【図３】特許文献１で提案されたインフレータの構造の一例を説明する断面図である。
【発明を実施するための最良の形態】
【００２１】
ガス発生剤と同じ薬剤を着火薬として使用したインフレータにおいて、フィルタのベース側端面側に配置されたダンパーパッドをイニシエータの外周に接触するまで延長させて作動時の残渣の排出量を抑える構成では、ガス発生剤を収容する空間が狭くなる。
【００２２】
本発明は、ダンパーパッドを延長するのではなく、ダンパーパッドと当接するフィルタのベース側端面部を、フィルタの径方向の厚み以下の長さだけ内周側に突出させてダンパーパッドとの接触長さを長くすることで、前記の課題を解決するものである。
【実施例】
【００２３】
以下、本発明を実施するための形態例について、本発明のインフレータの構造の一例を説明する断面図である図１を用いて説明する。なお、図１中、図３及び図４と同一符号は同一部分或いは相当部分を示し、詳細な説明を省略する。
【００２４】
１２は本発明のインフレータ１１に採用するフィルタである。このフィルタ１２は、図３で説明した従来のインフレータ１に採用された円筒状のフィルタ８と異なり、ダンパーパッド１０と当接するベース側端面部１２ａを、例えばダンパーパッド１０の内径と概ね同じ位置まで内周側に突出させた形状である。
【００２５】
このような構成のフィルタ１２を採用することで、前記従来のインフレータ１の円筒状のフィルタ８を採用する場合と比較して、フィルタ１２のベース側端面部１２ａがダンパーパッド１０と接触する面の長さＬが長くなって、残渣が漏れる隙間が小さくなる。
【００２６】
ところで、前記本発明の場合、内周側に突出させたベース側端面部１２ａの突出部の長さＬ1は、フィルタ１２の厚みｔと同等かそれより短いことが必須要件である。その理由は、内周側に突出させたベース側端面部１２ａの突出部の長さＬ1がフィルタ１２の厚みｔより長くなると、その分だけガス発生剤７を充填する量が少なくなって、ハウジング２の容積を大きくしなければならなくなるからである。
【００２７】
前記フィルタ１２を備えた本発明のインフレータ１１では、フィルタ１２のベース側端面部１２ａの内周側への突出部及びダンパーパッド１０の内周部がイニシエータ３と離間しているので、当該離間した部分にもガス発生剤７を充填することができる。従って、図３に示した特許文献１に開示されたインフレータと比べて、ガス発生剤７の内容量が少なくなることを抑制できる。
【００２８】
すなわち、上記構成の本発明のインフレータ１１は、図３に示した特許文献１に開示されたインフレータ１と比べて残渣が漏れる隙間が小さくなるので、着火薬としてガス発生剤と同じ薬剤を使用した場合でも、例えば図２に示すように、残渣の漏れは2.84gから1.92gに少なくなる。
【００２９】
また、図３に示した特許文献１に開示されたインフレータ１と比べて、前記離間した部分の容積分だけ充填するガス発生剤７の量を多くできるので、ハウジング２の容積を大きくする必要がない。
【００３０】
本発明は上記の例に限らず、各請求項に記載された技術的思想の範疇であれば、適宜実施の形態を変更しても良いことは言うまでもない。
【００３１】
すなわち以上で述べたエアバッグ用インフレータは、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は、説明を目的としたもので、特に限定される主旨のない限り、それに限定されるものではない。
【００３２】
例えば上記発明例では、チューブ４の開口４ａを塞いでいないが、図３に示したインフレータのようにアルミフォイルで塞いでも良い。
【産業上の利用可能性】
【００３３】
以上の本発明は、シングルステージタイプに限らず、ダブルステージタイプのインフレータにも適用できる。
【符号の説明】
【００３４】
２    ハウジング
２ａ    ディフューザ
２ｂ    アダプター
２ｃ    ベース
３    イニシエータ
４    チューブ
４ａ    開口
５    着火薬
６    中蓋
７    ガス発生剤
９    アルミフォイル
１０    ダンパーパッド
１１    インフレータ
１２    フィルタ
１２ａ    ベース側端面部
【図１】
0005784917.tif 000002
【図２】
0005784917.tif 000003
【図３】
0005784917.tif 000004